(57)【要約】  様々な航空機システムにおいては、システムの信頼性を高める機能向上が有効である。例えば、特定のアビオニクスシステムにおいては、分散型航空機レコーダーシステムが有効である。システムは、航空機に設けられる航空機レコーダーを有する。前記システムは、さらに前記航空機に設けられ、前記航空機レコーダーから離して設置される複数のメモリユニットを有する。前記メモリユニットは、前記航空機レコーダーからストリーミング音声及びフライトデータを受信するよう構成される。
2021503403.tif 000002
【特許請求の範囲】
【請求項１】
航空機に設けられた航空機レコーダーと、
前記航空機に設けられ、前記航空機レコーダーから離して設置された複数のメモリユニットと、を備え、
前記メモリユニットは、前記航空機レコーダーからストリーミング音声及びフライトデータを受信するよう構成されているシステム。
【請求項２】
前記複数のメモリユニットは、イーサネット（登録商標）ネットワークによって前記航空機レコーダーに接続される、請求項１に記載のシステム。
【請求項３】
前記イーサネット（登録商標）ネットワークは、銅線ネットワーク、光ファイバーネットワーク、又はワイヤレスネットワークのうちの少なくとも１つを含む、請求項２に記載のシステム。
【請求項４】
前記複数のメモリユニットは、前記航空機レコーダーからの電源によって電力が供給される、請求項１に記載のシステム。
【請求項５】
前記複数のメモリユニットは、３４００Ｇ（１Ｇ＝９．８ｍ／ｓ２）未満の衝撃又は１０００℃未満の温度のうちの少なくとも１つによって破壊され得る、請求項１に記載のシステム。
【請求項６】
前記複数のメモリユニットは、互いに対して、及び前記航空機レコーダーに対して、空間ダイバーシティを用いて設置される、請求項１に記載のシステム。
【請求項７】
前記複数のメモリユニットの各々は、対応するメモリユニットの復旧を助けるよう構成されたロケータービーコンを有する、請求項１に記載のシステム。
【請求項８】
更に、前記航空機に設けられた別の航空機レコーダーと、
前記航空機に設けられ、前記別の航空機レコーダーから離して設置された別の複数のメモリユニットとを備え、
前記別のメモリユニットは、前記別の航空機レコーダーからの音声及びフライトデータをストリーミングするよう構成されている、請求項１に記載のシステム。
【請求項９】
航空機に設けられた航空機レコーダーで、前記航空機に対応する音声及びフライトデータを取得することと、
前記音声及びフライトデータを、前記航空機レコーダーから、前記航空機に設けられ、前記航空機レコーダーから離して設置された複数のメモリユニットにストリーミングすることと、を含む方法。
【請求項１０】
前記ストリーミングは、イーサネット（登録商標）ネットワークを介したストリーミングを含む、請求項９に記載の方法。
【請求項１１】
前記イーサネット（登録商標）ネットワークは、銅線ネットワーク、光ファイバーネットワーク、又はワイヤレスネットワークのうちの少なくとも１つを含む、請求項１０に記載の方法。
【請求項１２】
更に、前記航空機レコーダーによって、前記複数のメモリユニットに電力を供給することを含む、請求項９に記載の方法。
【請求項１３】
前記複数のメモリユニットは、３４００Ｇ（１Ｇ＝９．８ｍ／ｓ２）未満の衝撃又は１０００℃未満の温度のうちの少なくとも１つによって破壊され得る、請求項９に記載の方法。
【請求項１４】
前記複数のメモリユニットは、互いに対して、及び前記航空機レコーダーに対して、空間ダイバーシティを用いて設置される、請求項９に記載の方法。
【請求項１５】
少なくとも１つのプロセッサと、
コンピュータプログラムコードを含む少なくとも１つのメモリと、を備えた装置であって、
前記少なくとも１つのメモリと、前記コンピュータプログラムコードは、前記少なくとも１つのプロセッサによって、前記装置に、少なくとも、
航空機に設けられた航空機レコーダーで、前記航空機に対応する音声及びフライトデータを取得させ、
前記音声及びフライトデータを、前記航空機レコーダーから、前記航空機に設けられ、前記航空機レコーダーから離して設置された複数のメモリユニットにストリーミングさせるよう構成された装置。
【請求項１６】
前記少なくとも１つのメモリと、前記コンピュータプログラムコードは、前記少なくとも１つのプロセッサによって、前記装置に、少なくとも、前記音声及びフライトデータを、イーサネット（登録商標）ネットワークを介して、前記メモリユニットに対してストリーミングさせるよう構成されている、請求項１５に記載の装置。
【請求項１７】
前記イーサネット（登録商標）ネットワークは、銅線ネットワーク、光ファイバーネットワーク、又はワイヤレスネットワークのうちの少なくとも１つを含む、請求項１６に記載の装置。
【請求項１８】
前記少なくとも１つのメモリと、前記コンピュータプログラムコードが、前記少なくとも１つのプロセッサによって、前記装置に、少なくとも、前記航空機レコーダーによって前記複数のメモリユニットに電力を供給させるよう構成されている、請求項１５に記載の装置。
【請求項１９】
前記複数のメモリユニットは、３４００Ｇ（１Ｇ＝９．８ｍ／ｓ２）未満の衝撃又は１０００℃未満の温度のうちの少なくとも１つによって破壊され得る、請求項１５に記載の装置。
【請求項２０】
前記複数のメモリユニットは、互いに対して、及び前記航空機レコーダーに対して、空間ダイバーシティを用いて設置される、請求項１５に記載の装置。
【発明の詳細な説明】
【技術分野】
【０００１】
様々な航空機システムにおいては、システムの信頼性を高める機能向上が有効である。例えば、特定のアビオニクスシステムにおいては、分散型航空機レコーダーシステムが有効である。
【背景技術】
【０００２】
商業航空機は、通常、「ブラックボックス」と称されることもある航空機レコーダーを備え、この航空機レコーダーは、航空機の現在のフライトに関連する様々なデータを記憶する。この航空機レコーダーは、フライトデータレコーダー、コックピットボイスレコーダーであってもよい。或いは、コックピットボイス・データレコーダー等の音声レコーダーとデータレコーダーの組み合わせであってもよい。このデータは、航空機の墜落を解析するために使用される。よって、フライトレコーダーの墜落に対する残存性は、航空機レコーダーの設計における最大の関心事の１つである。
【０００３】
航空機用レコーダーの残存性に関わる従来の技術には、航空機レコーダーを搭載している航空機が墜落した際に航空機レコーダーを保護するよう設計された金庫室のような容器の設計が含まれる。墜落は、非常に高速で起こる可能性があるため、結果的に、航空機レコーダーの設計仕様書は、従来非常に厳格なものとなっている。
【０００４】
危険物を運搬している航空機の中には、航空機が破壊された際に、航空機レコーダーが破壊的な爆発を受けないように排出可能な航空機レコーダー有すること等、さらなる残存性要件を有するものがある。例えば、代替形態としては、航空機に２つのレコーダーを備えることである。つまり、１つは墜落に対する残存性を有し、もう１つは、事故発生の際に航空機から展開される展開可能なものとすることである。
【発明の概要】
【課題を解決するための手段】
【０００５】
本発明のある実施例においては、システムは、航空機に設けられた航空機レコーダーを備える。そのシステムは、航空機に設けられ、航空機レコーダーから離して設置された複数のメモリユニットも備える。そのメモリユニットは、航空機レコーダーからの音声及びフライトデータをストリーミングするよう構成されている。
【０００６】
本発明のある実施例においては、方法は、航空機に設けられた航空機レコーダーで、航空機に対応する音声及びフライトデータを取得することを含む。その方法は、音声及びフライトデータを、航空機レコーダーから、航空機に設けられ、航空機レコーダーから離して設置された複数のメモリユニットにストリーミングすることも含む。
【０００７】
本発明のある実施例よる装置は、少なくとも１つのプロセッサと、コンピュータプログラムコードを有する少なくとも１つのメモリを有する。その少なくとも１つのメモリとコンピュータプログラムコードは、少なくとも１つのプロセッサによって、装置に、少なくとも、航空機に設けられた航空機レコーダーで、航空機に対応する音声及びフライトデータを取得させるように構成される。その少なくとも１つのメモリとコンピュータプログラムコードは、少なくとも１つのプロセッサにより、装置に、少なくとも、音声及びフライトデータを、航空機レコーダーから、航空機に設けられ、航空機レコーダーから離して設置された複数のメモリユニットにストリーミングさせるようにも構成される。
【０００８】
本発明のある実施例における装置は、航空機に設けられた航空機レコーダーで、航空機に対応する音声及びフライトデータを取得する手段を含む。その装置は、航空機レコーダーからの音声及びフライトデータを、航空機に設けられ、航空機レコーダーから離して設置された複数のメモリユニットにストリーミングすることも含む。
【図面の簡単な説明】
【０００９】
【図１】図１は、本発明のある実施例に係る分散型航空機メモリユニットネットワークを示す。
【図２】図２は、本発明のある実施例に係る分散型航空機レコーダーシステムを示す。
【図３】図３は、本発明のある実施例に係る方法を示す。
【図４】図４は、本発明のある実施例に係るシステムを示す。
【発明を実施するための形態】
【００１０】
発明を適切に理解できるように添付の図面を参照されたい。
【００１１】
本発明のある実施例は、航空機レコーダー及び類似の装置の墜落に対する残存性の向上を提供することができる。例えば、本発明のある実施例は、分散型の航空機レコーディングシステムに関連している。
【００１２】
本発明のある実施例においては、分散型航空機レコーディングシステムは、イーサネット（登録商標）ベースの複数の非ＥＤ−１１２メモリユニットを有することができる。この複数の非ＥＤ−１１２メモリユニットは、浮力材で囲われ、レコーダービーコンに類似する、内蔵バッテリでバックアップされたビーコンを備えている。ＥＤ−１１２は、欧州民間航空機の衝撃及び温度に対する耐性の標準である。この標準は、３４００Ｇ（１Ｇ＝９．８ｍ／ｓ２）までの衝撃及び１０００℃までの温度に対する保護を要求するものである。これらの非ＥＤ−１１２ユニットは、それぞれが、これらの衝撃及び温度の標準のいずれか、又は両方に対して保護ができないものであってもよい。
【００１３】
これらのメモリユニットは、コックピットボイス・フライトデータレコーダー（ＣＶＦＤＲ）等の装置にイーサネット（登録商標）を介して接続可能である。光ファイバー、銅線、ワイヤレス、又は類似のネットワーク等のいかなる形態のネットワークも使用可能である。メモリユニットに対する電力供給は、ＣＶＦＤＲ又はローカル電源からパワーオーバーイーサネット（登録商標）（ＰＯＥ）を介して行うことが可能である。メモリユニットは、ＣＶＦＤＲによってストリーミングされたデータを受信可能である。
【００１４】
メモリユニットは、メモリユニットのうち少なくとも１つの残存性を高めるため、航空機の異なる場所に設置することが可能である。本発明のある実施例は、展開可能なレコーダーの代替例と考えてもよい。なぜなら、本発明のある実施例は、航空機内のレコーダーの純然たる数及び位置によってレコーダーの残存性を保証してもよいからである。更に、本発明のある実施例は、展開可能なレコーダーと比べて、コスト及び重量の面で競争力が高いものであってもよい。
【００１５】
図１は、本発明のある実施例に係る分散型航空機メモリユニットネットワークを示す。図１に示すように、２つ以上のフライトレコーダー、ＣＶＦＤＲ  Ａ１１０及びＣＶＦＤＲ  Ｂ１２０を備えることができる。ＣＶＦＤＲ  Ａ１１０は、メモリユニットＡ１３０及びメモリユニットＢ１４０のような２つ以上のメモリユニットに接続可能である。同様に、ＣＶＦＤＲ  Ｂ１２０は、メモリユニットＣ１５０及びメモリユニットＤ１６０のような２つ以上のメモリユニットに接続可能である。上記に述べたように、これらのメモリユニットは、銅線、光ファイバー、ワイヤレスイーサネット（登録商標）、又は他の所望の技術を含む任意の所望の技術によって、対応するフライトレコーダーに接続可能である。メモリユニットは、独立して電力供給が可能であり、所望であれば、イーサネット（登録商標）の電源を用いて電力供給されてもよい。
【００１６】
図２は、本発明のある実施例に係る分散型航空機レコーダーシステムを示す図である。図２に示すように、ＣＶＦＤＲ２１０は、メモリユニットＡ２２０及びメモリユニットＢ２３０等のメモリユニットと通信可能である。ＣＶＤＲ２１０、メモリユニットＡ２２０、及びメモリユニットＢ２３０のそれぞれは、対応するワイヤレス送受信機２１５，２２５，２３５を備えていてもよい。各送受信機は、送受信する単一の無線装置で実装されてもよいし、別々の送信機と受信機で実装されてもよい。他の実装でもよい。追加として、又は代替として、これらの装置を接続するネットワークは、無線ネットワークではなく、有線ネットワーク又は光ファイバーネットワークでもよい。
【００１７】
メモリユニットは、それぞれ中央演算処理装置（ＣＰＵ）と称される様々な処理コンポーネントを有することができる。この処理コンポーネントは、ネットワークインターフェースカード（ＮＩＣ）又は他のイーサネット（登録商標）アダプタ等のネットワーク処理部品を含むことができる。この処理コンポーネントは、ＳＤカードコントローラ及び／又はＮＡＮＤフラッシュコントローラも有していてもよい。この処理コンポーネントは、対応するマイクロＳＤカード及びＮＡＮＤフラッシュモジュールも有していてもよく、これらはデータを記憶するように構成できる。
【００１８】
メモリユニットは、それぞれビーコンを有していてもよい。このビーコンは、フライトレコーダーに付随するビーコンに類似するものでもよい。このビーコンは、内蔵バッテリでバックアップされたビーコンであってもよい。
【００１９】
各メモリユニットは、非ＥＤ−１１２メモリユニットでもよい。各メモリユニットは、浮力材で囲われていてもよい。データは、レコーダーによって、メモリユニットにストリーミングできる。このメモリユニットを航空機の異なる位置に配置して、メモリユニットの少なくとも１つの残存性を高めることができる。メモリユニットの位置の例として、翼端、垂直尾翼、及び／又はコックピット窓の周辺等がある。メモリユニットは、パワーオーバーイーサネット（登録商標）（ＰＯＥ）又はローカル電源のいずれかによって、電力供給が可能である。
【００２０】
図３は、本発明のある実施例に係る方法を示す。図３に示すように、方法は、３１０において、航空機に設けられた航空機レコーダーで、その航空機に対応する音声及びフライトデータを取得することを含む。その音声及びフライトデータは、コックピットボイスレコーディング、映像レコーディング、機器データのレコーディング、又はＣＶＦＤＲによって通常記録される他のデータのいずれであってもよい。
【００２１】
当該方法は、３２０において、音声及びフライトデータを航空機レコーダーから、航空機に設けられ、航空機レコーダーから離して設置されている複数のメモリユニットにストリーミングすることを含む。航空機レコーダーとメモリユニットは、例えば、図２に示すように構成することができる。上記ストリーミングには、イーサネット（登録商標）ネットワーク又は他の所望のネットワークを介したストリーミングを含んでいてもよい。イーサネット（登録商標）ネットワークは、銅線ネットワーク、光ファイバーネットワーク、ワイヤレスネットワーク、若しくは他の所望のネットワークの少なくとも１つであってもよいし、又は、これらの少なくとも１つを含んでいてもよい。
【００２２】
上記メモリユニットは、非ＥＤ−１１２メモリユニットであってもよいため、３４００Ｇ未満の衝撃、又は１０００℃未満の温度の少なくとも１つによって破壊され得る。このメモリユニットは、互いに対して、及び航空機レコーダーに対して、空間ダイバーシティを用いて設置可能である。例えば、メモリユニットは、各翼の中、航空機の機首中、及び航空機の尾翼中に設置可能である。一方、航空機レコーダーは、コックピット内、又は、歴史的に見て、墜落した際に水上に浮いた、航空機内の他のいかなる位置に配置してもよい。メモリユニット及び／又は航空機レコーダーを他の位置に配置することもできる。
【００２３】
上記方法は、更に、３３０において、航空機レコーダーによって複数のメモリユニットに電力供給することを含む。例えば、メモリユニットは、パワーオーバーイーサネット（登録商標）を用いた電源を備えることが可能である。代替として、複数のメモリユニットは、独立して電力が供給されてもよいし、又は、航空機レコーダーと同じ電源バスを用いて電力が供給されてもよい。
【００２４】
上記方法は、並行して動作している２つ以上の航空機レコーダーから同時に実行することができる。図１の例によって示されているように、各航空機レコーダーは、独自の独立した、メモリユニットのネットワークを有していてもよい。代替として、上記複数の航空機レコーダーはメモリユニットを共有して、複数の航空機レコーダーの各々が同一組のメモリユニットに、又は重複する複数組のメモリユニットに対してストリーミングを行ってもよい。
【００２５】
本明細書において、ストリーミングという用語は、データをリアルタイムで、又はリアルタイムに近い形で提供することを意味する。代替として、本発明のある実施例では、所定の時間、例えば、１、２分、又は所望の時間、音声及びフライトデータを航空機レコーダーに記憶して、当該データを定期的にメモリユニットに送信することができる。
【００２６】
図４は、本発明のある実施例に係るシステムを示す。なお、図３の各処理ブロックは、ハードウェア、ソフトウェア、ファームウェア、１つ以上のプロセッサ及び／又は回路等の様々な手段又はそれらの組み合わせによって実行されてもよい。本発明の一実施例においては、システムは、例えば、航空機レコーダー４１０、及びメモリユニット４２０等のいくつかの装置を含んでいてもよい。このシステムは、２つ以上のメモリユニット４２０と２つ以上の航空機レコーダーを有していてもよいが、例示のためには、各１つしか図示しない。航空機レコーダーは、ＣＶＦＤＲ等、本明細書で述べた航空機レコーダーのいずれであってもよい。
【００２７】
これらの装置の各々は、それぞれ符号４１４，４２４で示されている、少なくとも１つのプロセッサ、又は、制御ユニット若しくはモジュールを備えていてもよい。各装置には、それぞれ符号４１５，４２５で示されている少なくとも１つのメモリが設けられていてもよい。メモリは、上記に述べたように、例えば、本発明の実施例を実行するためのコンピュータプログラム命令又はそれに包含されるコンピュータコードを有していてもよい。送受信機４１６，４２６は、それぞれ図示されているように設けられていてもよい。各装置は、符号４１７，４２７でそれぞれ示されているアンテナも有していてもよい。それぞれについて１つのアンテナしか示されていないが、多数のアンテナ及び複数のアンテナ素子が装置に設けられていてもよい。例えば、装置は他の構成を有していてもよい。例えば、航空機レコーダー４１０とメモリユニット４２０は、無線通信に加え、追加的に有線通信用に又は有線通信用にのみ構成されていてもよい。その場合、アンテナ４１７，４２７は、アンテナのみに限定されることなく、いかなる形態の通信ハードウェアであってもよい。
【００２８】
送受信機４１６，４２６は、各々が独立した送信機か受信機、若しくは送信機及び受信機の両方であってもよく、又は、送信及び受信の両方用に構成されているユニット若しくは装置であってもよい。
【００２９】
典型的な実施例においては、アビオニクスシステム等の装置は、図１から図４のいずれかに関して本明細書で述べた実施例のいずれかを実行するための手段を含んでいてもよい。
【００３０】
プロセッサ４１４，４２４は、中央演算処理装置（ＣＰＵ）、デジタル信号プロセッサ（ＤＳＰ）、特定用途向け集積回路（ＡＳＩＣ）、プログラマブルロジックデバイス（ＰＬＤ）、フィールドプログラマブルゲートアレイ（ＦＰＧＡ）、デジタル強調回路、若しくは、同等の装置、又はそれらの組み合わせ等、いかなる演算処理装置、又はデータ処理装置によって具現化されてもよい。プロセッサは、単一のコントローラ、又は複数のコントローラ若しくは複数のプロセッサとして実装されてもよい。更に、プロセッサは、ローカル構成、クラウド構成、又はその組み合わせにおけるプロセッサのプールとして実装されてもよい。回路という用語は、１つ以上の電気回路又は電子回路を指してもよい。プロセッサという用語は、コンピュータを駆動する命令に応答し、且つこの命令を処理するロジック回路のような回路を指してもよい。
【００３１】
ファームウェア又はソフトウェアの場合、その実装には、少なくとも１つのチップセットのモジュール又はユニット（例えば、プロシージャ、関数等）を含んでもよい。メモリ４１５，４２５は、独立して、コンピュータで読み取り可能な非一時的媒体等の、任意の適切な記憶装置であってもよい。ハードディスクドライブ（ＨＤＤ）、ランダムアクセスメモリ（ＲＡＭ）、フラッシュメモリ、又は他の適切なメモリを使用してもよい。メモリは、プロセッサである単一の集積回路上に組み合わせられてもよく、又は単一の集積回路と別体でもよい。更に、メモリに記憶され、プロセッサによって処理されるコンピュータプログラム命令は、任意の適切な形態のコンピュータプログラムコードであってよい。例えば、任意の適切なプログラミング言語で記述された、コンパイル済み又は解釈済みコンピュータプログラムであってよい。メモリ又はデータ記憶エンティティは、通常内部に設けられているが、サービスプロバイダーから追加の記憶容量を得るような場合には、外部に設けられてもよく、又は内部と外部の組み合わせでもよい。メモリは、固定でもよいし、取り外し可能であってもよい。
【００３２】
メモリ及びコンピュータプログラム命令は、特定の装置用のプロセッサによって、航空機レコーダー４１０及び／又はメモリユニット４２０等のハードウェア装置に上記の処理（例えば、図３を参照）のいずれかを行わせるよう構成されていてもよい。よって、本発明のある実施例においては、コンピュータで読み取り可能な非一時的媒体は、ハードウェアで実行されると、本明細書で述べた１つ以上の処理等のある処理を行うコンピュータ命令又は１つ以上のコンピュータプログラム（追加、若しくは更新されたソフトウェアルーティン、アプレット、又はマクロ等）によってエンコードされてもよい。コンピュータプログラムは、任意のプログラミング言語によってコード化されてもよい。プログラミング言語は、オブジェクティブＣ，Ｃ，Ｃ＋＋，Ｃ＃，Ｊａｖａ（登録商標）等の高水準プログラミング言語、又は機械言語若しくはアセンブラ等の低水準プログラミング言語でもよい。代替として、本発明のある実施例は、その全体をハードウェア内において実施されてもよい。
【００３３】
各メモリユニット４２０は、更にビーコン４２８を有していてもよい。このビーコンを装着して、位置又は他の情報、若しくは信号を送信することで、対応するメモリユニット４２０の復旧を可能にすることができる。
【００３４】
更に、図４には、航空機レコーダー４１０とメモリユニット４２０を有するシステムを示しているが、本発明の実施例は、他の構成、及び図示され、本明細書で述べた追加要素を含む構成にも適用されてもよい。例えば、上記に述べたように、複数の航空機レコーダーと複数のメモリユニットが存在してもよい。
【００３５】
当業者は、上記の発明が、異なる順番のステップ及び／又は開示された構成とは異なる構成のハードウェア要素によって実施されてもよいことを容易に理解するであろう。従って、これらの開示された実施例に基づいて発明を説明したが、当業者は、発明の精神及び範囲を逸脱しない限り、特定の変形、変更及び代替構成が明白であることは明らかであろう。
【符号の説明】
【００３６】
１１０…ＣＶＦＤＲ  Ａ、１２０…ＣＶＦＤＲ  Ｂ、１３０…メモリユニットＡ、１４０…メモリユニットＢ、１５０…メモリユニットＣ、１６０…メモリユニットＤ、２１０…ＣＶＦＤＲ、２１５…ワイヤレス送受信機、２２０…メモリユニットＡ、２２５…ワイヤレス送受信機、２３０…メモリユニットＢ、２３５…ワイヤレス送受信機、４１０…航空機レコーダー、４１４…プロセッサ、４１５…メモリ、４１６…送受信機、４１７…アンテナ、４２０…メモリユニット、４２４…プロセッサ、４２５…メモリ、４２６…送受信機、４２７…アンテナ、４２８…ビーコン。
【図１】
2021503403.tif 000003
【図２】
2021503403.tif 000004
【図３】
2021503403.tif 000005
【図４】
2021503403.tif 000006
【国際調査報告】
2021503403.tif 000007
2021503403.tif 000008
2021503403.tif 000009